Podtech/llm-jp-corpus-v4-ja_patent huggingface dataset:
(57)【要約】      （修正有）【課題】従来は、毛をとかすだけの目的の櫛であったため、抜け毛を取り除く効果は、あまりなかったが、抜け毛を取り除く櫛を提供する。【解決手段】櫛本体と歯と歯の間に伸縮性素材を交互に編み込む事により出来るこの隙間に、抜け毛、フケ、ノミなどが入り、取り除くことが出来る。また、伸縮性素材がクッションとなってブラッシング自体が皮膚の血行を促すマッサージ効果もある。【選択図】図１
0003154993.tif 000002
【実用新案登録請求の範囲】
【請求項１】
櫛本体根元の歯の下に伸縮性素材などを接着すること。
【請求項２】
櫛本体根元の歯と歯の間に他物質を編み込むこと。（図３参照）
【請求項３】
伸縮性素材の編み方は、歯と歯の間を１本から５本飛ばしで交互に編むこと。
【請求項４】
伸縮性素材の編み方は、７ｍｍ以下であること。
【請求項５】
櫛本体根元の歯の下の回りに、伸縮性素材をつけること（図５参照）
【考案の詳細な説明】
【技術分野】
【０００１】この考案は、ペットの抜け毛を取り除くことを解決するために用いる犬の櫛に関するものである。
【背景技術】
【０００２】従来は、犬の櫛に他物質を取り付ける櫛は、なかった。
そして、一本櫛しかなった。
【考案の開示】
【考案が解決しようとする課題】
【０００３】従来は、毛を取り除く効果は、あまりなかったが本考案は、以上のような欠点を無くすためになされたものである。
【課題を解決するための手段】
【０００４】以上の課題を解決するために、請求項１の考案は、櫛本体根元の歯と歯の間に、伸縮性のある素材を編込んだ事で（図３参照）その他、櫛本体根元の歯の回りに伸縮性素材をつける事で（図６参照）すり抜けていた毛が、この隙間にくいこむ。
【考案の効果】
【０００５】この考案の効果によれば、櫛本体根元の歯と歯の間に伸縮性素材を編み込み、接着させることで、この隙間に抜け毛が、大量に食い込み、その上、フケ、ノミ、ホコリなども取り除くことが出来た。
【実施例】
【０００６】この考案により、テストした結果、ウェルシュコーギー、シベリアンハスキー、ラブラドールレトリーバー、ダルメシアン、ピーグル、セントバーナード、シェパード、ミニチュアダックスフンド、プードル、パグ、チワワ、フレンチブルドック、バーニーズ、柴犬など短毛種犬などに抜け毛、のほか、フケやノミホコリなどが大量に取り除くことが出来た。また、伸縮性素材がクッションとなってブラッシング自体が皮膚の血行を促すマッサージ効果もあった。
【図面の簡単な説明】
【０００７】
【図１】本考案を示した正面図である。
【図２】本考案を示した真上から見た図である。
【図３】本考案を示した正面拡大図である。
【図４】本考案を示した真上拡大図である。
【図５】本考案を示した別様式の真上から見た図である。
【符号の説明】
【０００８】１櫛本体
２ゴムなど伸縮性素材
３櫛本体根元の歯の根元
【図１】
0003154993.tif 000003
【図２】
0003154993.tif 000004
【図３】
0003154993.tif 000005
【図４】
0003154993.tif 000006
【図５】
0003154993.tif 000007
【手続補正書】
【提出日】平成21年7月29日(2009.7.29)
【手続補正１】
【補正対象書類名】実用新案登録請求の範囲
【補正対象項目名】全文
【補正方法】変更
【補正の内容】
【実用新案登録請求の範囲】
【請求項１】
櫛本体根元の歯の下に伸縮性素材を接着することを特徴とする犬の抜け毛取り櫛。
【請求項２】
櫛本体根元の歯と歯の間に伸縮性素材を編み込むことを特徴とした犬の抜け毛取り櫛。
【請求項３】
伸縮性素材の編み方は、歯と歯の間を１本から５本飛ばしで交互に編むことを特徴とする請求項２に記載の犬の抜け毛取り櫛。
【請求項４】
伸縮性素材の編み方は、７ｍｍ以下であることを特徴とする請求項２に記載の犬の抜け毛取り櫛。
【請求項５】
櫛本体根元の歯の回りに、伸縮性素材をつけることを特徴とする犬の抜け毛取り櫛。
(57)【要約】      （修正有）【課題】仕掛けの投入をスムーズに出来る、イカ釣りの仕掛け投入機であるプラ角投入機を提供する。【解決手段】イカ釣りの仕掛けの投入機本体の固定部分を船べりに固定させる。固定部にある固定軸を可動式にし投入機を船べりから垂直、水平に９０度動作可能にし、仕掛けを取り入れ時に垂直にし、仕掛けを投入時には水平にする。【選択図】図１
0003154996.tif 000002
【実用新案登録請求の範囲】
【請求項１】
投入機本体を船べり固定部と投入機本体に分け可動式にし  取り入れの時は縦になり  仕掛け投入時には横に成り  ハリスの痛みやハリスがらみを激減させた。
その為に軽量なおかつコンパクトになった。
【請求項２】
従来は船べりに立て掛けるだけの為固定できず長いままで  不安定でながかったのを  可動式にした為  軽量、コンパクトになった。
【考案の詳細な説明】
【技術分野】
【０００１】本考案は  船釣りの船の揺れでも倒れず釣りのハリスを痛めにくく  仕掛けを  スムーズに  投入できる装置である
【背景技術】
【０００２】従来品は長く  船べりに立て掛けて  置くだけの  パイプを  並べただけの  物だった為  波や船の移動中などに  不安定でした。
そして  仕掛けを投入する時に装置の口元でハリスを傷つけたりした。
【考案の概要】
【考案が解決しようとする課題】
【０００３】船べりに立て掛けるだけの  投入機だと波の高い時や船の移動時に  不安定だった為  倒れたりして  危険でした。
【課題を解決する為の手段】
【０００４】本考案は投入機と船べりを２か所で固定する事で波の高い時や  船の移動時に安定する様にして問題点を解決した。
【考案の効果】
【０００５】投入機本体が船べりを支点に９０度可動する為  仕掛けが  絡みにくく  ハリスを傷つけず  スムーズに投入できる様にした。
【図面の簡単な説明】
【０００６】
【図１】本考案の可動式投入機の正面図である。
【図２】本考案の可動式投入機の側面図である。
【図３】可動式投入機の９０度可動時である。
【考案を実施するための形態】
【０００７】投入機本体を船べり固定部と投入機に分離し固定部を中心に可動し  ハリスの痛みを防ぎ  スムーズに投入できる様になる。
【実施例】
【０００８】以下、添付図面にしたがって実施例を説明する。
１は耐久性の高い素材で形成された船べり固定部を有する本体
２は１に取り付き５の軸ピンを中心に９０度回転する物とする。
３はラッパ状の筒と２をつなぐ固定金具である
４は投入機本体とする
【符号の説明】
【０００９】１  船べり固定金具本体
２  可動式固定具
３  投入機固定具
４  投入機本体
５  軸ピン
【図１】
0003154996.tif 000003
【図２】
0003154996.tif 000004
【手続補正書】
【提出日】平成21年8月3日(2009.8.3)
【手続補正１】
【補正対象書類名】実用新案登録請求の範囲
【補正対象項目名】全文
【補正方法】変更
【補正の内容】
【実用新案登録請求の範囲】
【請求項１】
イカ釣りの仕掛けの投入機本体の構造と機能において、
（１）投入機本体の固定部分を船べりに固定させる、
（２）投入機本体の固定部にある固定軸を可動式にし投入機を船べりから垂直、水平に９      ０度動作可能にし、
（３）仕掛けを取り入れ時に垂直にし、仕掛けを投入時には水平にすることによりハリス      の痛みやハリスがらみを激減させて仕掛けの投入をスム−ズに出来る、
以上のことを特徴とするイカ釣りの仕掛け投入機であるプラ角投入機。
【請求項２】
従来は船べりに立て掛けるだけの長いままで固定できず不安定なものが軽量でコンパクトにしたことで船べりに固定をして安全性をはかり可動式にすることにより仕掛けの投入がスムーズに出来ることを特徴とする請求項１に記載のプラ角投入機。
【手続補正２】
【補正対象書類名】明細書
【補正対象項目名】０００６
【補正方法】変更
【補正の内容】
【０００６】
【図１】  本考案の可動式投入機の正面図である。
【図２】  本考案の可動式投入機の側面図である。
(57)【要約】      （修正有）【課題】足湯には疲労回復や心身のリラックス効果に加え、血行促進に伴い冷え性や肩こりが改善する働きがあるが、この効果を生むまでには通常４０分ないし５０分もの間、両足を湯に浸す必要があり、時間の経過と共に湯の温度が低下するため、たびたび差し湯をするか、または湯を入れ替えて温度を維持しなければならず、この手間と熱や水の損失を回避する足湯容器を提供する。【解決手段】熱や水の無駄を防ぐために、足湯容器の保温性を高めるとともに容器の上部にカバーを取り付け、このカバーを恰も半ズボンの両脚のような二股の筒状に成型する。ズボンの裾に相当する二股の上端には面テープを取り付け、足を差し込んだあと脚の上部、例えばふくらはぎの上部辺りでぴったり閉じられるようにする。【選択図】図１
0003154998.tif 000002
【実用新案登録請求の範囲】
【請求項１】
足湯を入れた保温性の高い容器に保温用のカバーを取り付け、差し湯をせずに所要の時間適温を保って健康効果が得られるよう工夫した器具。
【考案の詳細な説明】
【考案が解決しようとする課題】
湯に両足を３０分以上、できれば４０分ないし５０分間浸すことにより全身の血行を促進し、疲労回復や心身のリラックス効果を生むと共に、冷え性や肩こりの軽減、解消に役立つという足湯の健康効果が多くの体験談や医学者の研究により知られている。
ところが、容器の湯に足を浸しても、時間の経過と共に湯温が低下するため、適温を保つためには度々差し湯をしなければならず、これが手間とエネルギーの無駄を生じている。湯を入れ替えれば熱に加え水も無駄になる。
【課題を解決するための手段】
本案は足湯の容器を断熱性の高いものとし、これに断熱性の高いカバーを取り付けることにより、このような手間や無駄を解消するための工夫である。容器本体は複層、あるいは断熱性の高い材質で形成され、このカバーも複層のビニール布または保温性の高い素材で形成され、その下端を容器の上端部に固定し、カバーの上部はあたかも半ズボンのようにＹ字状に二股に分かれ、それぞれ足を入れてその上端を足首より上、たとえばふくらはぎの上部あたりでぴったりと閉じられるようスコッチテープのような材料を取り付ける。
このカバーは容器の上縁部に取り付け、この上縁部を容器本体に差し込む構造のため、容易に両者を着脱して注湯や排水、そして容器やカバーの洗浄、乾燥ができる。
【発明の効果】
この器具を用いることにより、カバーの上端から足を差し入れて湯に浸し、その上端を脚、例えばふくらはぎの上部などに軽く固縛することにより、疲労回復や血行促進、リラックス及び冷え性や肩こり改善など、所期の効果が得られるまで差し湯、替え湯なしで程よい湯温を保つことができる。また足だけでなく、脚の上部まで暖められるため、足だけ温める場合に比べて足湯の効果がさらに高まる。
なお、本器具は足湯用として使用するほか、水虫対策にも便利である。すなわち醸造酢が水虫退治に著効のあることは古来の民間療法として伝承されており、醸造酢を入れた容器に２時間ないし３時間足を浸せば水虫退治ができることは試してみればすぐ合点のゆく先人の知恵である。
この場合、酢の加熱は不要であるが、２時間以上も足を酢に浸しておく必要があり、この間、酢特有の刺激臭に曝されることになるので、この器具を用いることにより、その不快感を防ぐとともに効果を高めることが出来る。
【図面の簡単な説明】
【図１】本品の形状を示した図である。
【図２】本品の上縁部分を嵌入した状態を示す断面図
【図１】
0003154998.tif 000003
【図２】
0003154998.tif 000004
【手続補正書】
【提出日】平成21年8月3日(2009.8.3)
【手続補正１】
【補正対象書類名】明細書
【補正対象項目名】全文
【補正方法】変更
【補正の内容】
【考案の詳細な説明】
【考案が解決しようとする課題】
湯に両足を３０分以上、できれば４０分ないし５０分間浸すことにより、全身の血行を促進し、疲労回復や心身のリックス効果を生むと共に、冷え性や肩こりの軽減、解消に役立つという足湯の健康効果が多くの体験談や医学者の研究により知られている。
ところが、容器の湯に足を浸しても、時間の経過と共に湯温が低下するため、適温を保つためには度々差し湯をしなければならず、これが手間とエネルギーの無駄を生じている。
湯を入れ替えれば熱に加え水も無駄になる。
【課題を解決するための手段】
本案は足湯の容器を断熱性の高いものとし、これに断熱性の高いカバーを取り付けることにより、このような手間や無駄を解消するための工夫である。
容器本体は複層、あるいは断熱性の高い材質で形成され、このカバーも保温性の高い素材で形成され、その下端を容器の上端部に固定し、カバーの上部はあたかも半ズボンのようにＹ字状に二股に分かれ、それぞれ足を入れてその上端を足首より上、たとえばふくらはぎの上部あたりでぴったりと閉じられるよう面テープのような材料を取り付ける。
このカバーは容器の上縁部に取り付け、この上縁部を容器本体に差し込む構造のため容易に両者を着脱して注湯や排水、そして容器やカバーの洗浄、乾燥ができる。
【考案の効果】
この器具を用いることにより、カバーの上端から足を差し入れて湯に浸し、その上端を脚、例えばふくらはぎの上部などに軽く固縛すれば、疲労回復や血行促進、リラックス及び冷え性や肩こり改善など、所期の効果が得られるまで差し湯、替え湯なしで程よい湯温を保つことができる。
また足だけでなく、脚の上部まで温められるため、足だけ暖める場合に比べて足湯の効果がさらに高まる。
なお、本器具は足湯用として使用するほか、水虫対策にも便利である。
すなわち醸造酢が水虫退治に著効のあることは古来の民間療法として伝承されており、醸造酢を入れた容器に２時間ないし３時間足を浸せば水虫退治ができることは試してみればすぐ合点のゆく先人の知恵である。
この場合、酢の加熱は不要であるが、２時間以上も足を酢に浸しておく必要があり、この間、酢特有の刺激臭に曝されることになるので、この器具を用いることにより、その不快感を防ぐとともに効果を高めることができる。
【図面の簡単な説明】
【図１】本品の形状を示した図である。
【図２】本品の上縁部分を嵌入した状態を示す断面図
【手続補正２】
【補正対象書類名】図面
【補正対象項目名】全図
【補正方法】変更
【補正の内容】
【図１】
0003154998.tif 000005
【図２】
0003154998.tif 000006
(57)【要約】      （修正有）【課題】カラオケ装置における、マイクインピーダンス不整合、並びに音声信号を伝達するケーブルの平衡、不平衡の不整合に起因する周波数特性の変化による音質低下を防止できるマッチングボックスを提供する。【解決手段】マイク６より入力する低インピーダンス平衡信号を平衡ケーブル７を介して入力コネクタ１より装置に入力し、高インピーダンス不平衡信号を出力コネクタ５より出力する整合装置に於いて、各種マイクのインピーダンスに適合させるため、複数の終端抵抗２を備え、適合する終端抵抗２をスイッチにて選択して負荷し、その終端抵抗２に発生する端子電圧をインピーダンスの分離を目的としたオペアンプ３に入力し、その出力をトランス４の一次側に接続し、高インピーダンスに設計された二次側を不平衡接続して出力するようにして整合装置を構成する。【選択図】図１
0003154994.tif 000002
【実用新案登録請求の範囲】
【請求項１】
既設のカラオケ設備に付加する、マイク回路のインピーダンス整合、並びにケーブルの平衡、不平衡を整合する、音質改善装置。
【考案の詳細な説明】
【技術分野】
【０００１】本考案はカラオケ装置に於けるマイクとアンプ間の整合による音質改善装置。
【背景技術】
【０００２】  スナック等で使用されているカラオケ装置に於いて、マイクロフォンは低インピーダンスダイナミックマイク（以下、マイクという）を使用している。最近はワイヤレスマイクを使用する例が多くなった。その理由の一つに、マイクが音質の面で劣っている事にもある。【０００３】  上述のマイクが音質が劣る原因として、マイクのインピーダンスが１５０〜６００Ωの平衡信号に対し、マイクの出力を不平衡接続し、不平衡ケーブルを用いて十数ｋΩの入力インピーダンスのアンプに接続している。そのため、インピーダンスの不整合により、周波数特性の変化による音質の変化に依るものである。また、長寸法の不平衡ケーブルを使用しているので、ノイズを受けやすい欠点もある。【０００４】  当考案は上述の欠点の改善を目的とする。マイク▲６▼の平衡出力を平衡ケーブル▲７▼にてマイク用マッチングボックス▲８▼の入力コネクタ▲１▼に接続する。平衡ケーブル▲７▼はノイズを受けにくい性質から長寸法で使用する事が可能である。入力コネクタ▲１▼に入力された信号は終端抵抗▲２▼の端子に接続される。終端抵抗は複数用意し、スイッチにより該当するマイクのインピーダンスに適合する終端抵抗をスイッチで選択する。【０００５】  終端抵抗に発生する端子電圧はオペアンプ▲３▼の入力に接続し、ボルテージフォロア動作させる。オペアンプは電圧増幅度は付けないが、必要により、増幅度を付けることも可能である。オペアンプの出力は信号トランス▲４▼の一次側に接続し、高インピーダンスの二次側から、不平衡接続として出力コネクタ▲５▼に結ぶ。又、出力コネクタから不平衡ケーブル▲９▼で既設カラオケアンプ▲１０▼のマイク入力に最短距離で接続する。
【考案の概要】
【考案が解決しようとする課題】
【０００６】解決しようとする問題は、カラオケにおける、マイクの負荷インピーダンス及びケーブルの平衡、不平衡による不整合の為に生じる周波数特性の変化が音質を低下する欠点にある。
【課題を解決する手段】
【０００７】本考案はマイクの平衡出力を平衡ケーブルで伝達し、マイクの固有インピーダンスの終端抵抗に負荷し整合をとる。また、その信号をオペアンプで受け、その出力をトランスにより高インピーダンスの不平衡信号に変換し、不平衡ケーブルにて高インピーダンス、不平衡のアンプのマイク入力に接続する事により、周波数特性が改善され、音質が向上される。
【考案の効果】
【０００８】マイクのインピーダンス及びケーブルの平衡、不平衡の整合性をとることにより周波数特性が改善され、音質が向上する利点がある。
【図面の簡単な説明】
【０００９】
【図１】（Ａ）マイク用マッチングボックスのブロックダイヤグラムを示す。（Ｂ）カラオケ装置に於ける、接続図を示す。
【考案を実施するための形態】
【００１０】マイクのインピーダンス及びケーブルの平衡、不平衡の整合は、特殊部品を使うことなく、市販部品の構成で実現した。また、既設のカラオケアンプに手を加えることなく付加する事により、実施出来る。
【００１１】図１（Ａ）は本考案装置のブロックダイヤクラムを示す。▲１▼はキャノンタイプの入力コネクタでマイクからの信号を平衡ケーブルで受ける。▲２▼は終端抵抗であり複数の抵抗値を用意し、スイッチで目的の抵抗値を選択する▲３▼はオペアンプである。動作はボルテージフォロアであるが、電圧利得を付けることも可能である。▲４▼は信号トランスであり、オペアンプの出力を一次巻き線に接続し、高インピーダンスの二次巻き線より、不平衡結線として出力コネクタに導く。▲５▼は出力コネクタでありピンコネクタを使い不平衡信号として外部に出力する。
【００１２】図１（Ｂ）は本考案装置の外部接続図を示す。▲６▼はマイクであり、▲７▼の平衡ケーブルにて、本考案の装置▲８▼の入力コネクタ、図１（Ａ）▲１▼に接続する。このケーブルはノイズを受けにくいとされる平衡ケーブルであり、長い寸法で使用が可能である。装置▲８▼の出力からピンコネクタ、図１（Ａ）▲５▼より不平衡ケーブル▲９▼で既設カラオケアンプ▲１０▼に最短距離にて接続することで、不平衡ケーブル▲９▼で受けるノイズを低減化できる。
【産業上の利用可能性】
【００１３】本考案の回路はカラオケにおいてディユエットで唄う事があるので同一ケース内に２式用意する。また、電源は商用電源より受電し、直流安定化回路よりオペアンプに供給する。使用する電子部品は基板実装し、ケース内に組み込む。
【符号の説明】
【００１４】「図１」  ▲１▼    入力コネクタ
▲２▼    終端抵抗
▲３▼    オペアンプ
▲４▼    信号トランス
▲５▼    出力コネクタ
▲６▼    低インピーダンス  ダイナミックマイク
▲７▼    平衡ケーブル
▲８▼    本、考案装置
▲９▼    不平衡ケーブル
▲１０▼    既設  カラオケアンプ
【図１】
0003154994.tif 000003
【手続補正書】
【提出日】平成21年7月2日(2009.7.2)
【手続補正１】
【補正対象書類名】実用新案登録請求の範囲
【補正対象項目名】全文
【補正方法】変更
【補正の内容】
【実用新案登録請求の範囲】
【請求項１】
マイクより入力する低インピーダンス平衡信号を入力コネクタより装置に入力し、高インピーダンス不平衡信号を出力コネクタより出力する
整合装置に於いて、各種マイクのインピーダンスに適合させるため、複数の終端抵抗を備え、適合する終端抵抗をスイッチにて選択して負荷し、その終端抵抗に発生する端子電圧をインピーダンスの分離を目的としたオペアンプに入力し、その出力をトランスの一次側に接続し、高インピーダンスに設計された二次側を不平衡接続して出力する整合装置。
(57)【要約】      （修正有）【課題】限られたスペースでも、必要に応じて速やかに利用できる収納式ベンチを提供する。【解決手段】通常の高さの座面のベンチの本体１を積層合板にして、その中に座面の高さを幼児や高齢者向けに低くした同じ仕様のベンチを収納する。ベンチ本体１にベンチ本体４の立面を貫通してガイドレール用パイプ３を設け、収納時と引き出し時のストッパーを兼ねる。【選択図】図７
0003154995.tif 000002
【実用新案登録請求の範囲】
【請求項１】
通常の高さの座面のベンチの本体を積層合板又は金物にしてその中に座面の高さを幼児や高齢者向けに低くした同じ仕様のベンチを収納でき、必要に応じて引き出して使用するベンチ。
【考案の詳細な説明】
【技術分野】
【０００１】
本考案は、物販店や他人数の利用するところで、限られたスペースに置ける収納、引き出し式のベンチに関する。
【背景技術】
【０００２】
従来、物販店や美容室などのスペースが限られたところでは大きいベンチを置くと狭くて支障をきたす場合に人数によって速やかに対応できるベンチがなかった。
【考案の概要】
【考案が解決しようとする課題】
【０００３】
そのために小さいベンチを置いて、人が増えた場合はその度に椅子を持ち出したりして対応していた。
【課題を解決するための手段】
【０００４】
そこで、２〜３人が利用できる通常のベンチの中に座面を低くした同じ仕様のベンチを収納できるようにして、利用者が増えると引き出して利用できるベンチを考案した。（図6、図7）
【考案の効果】
【０００５】
よって本考案のベンチにより、新たに別の椅子を持ち出したりして対応しなくてもよくなった。又、人数が少なくなれば引き出した部分のベンチを元のベンチの中に収容でき、その分のスペースが広くなるようになった。
【考案を実施するための形態】
【０００６】
本考案に係るベンチは、図5、図6に示すように通常の高さの２〜３人利用のベンチとその中に収納ができるベンチとで構成されている。通常は図５のように収納された状態であるが左右から引き出すと４〜５人が利用できるベンチになる。なお、本考案の図面は本体構造は積層合板であるが、金物及び樹脂、木材での製作を可能である。
【図面の簡単な説明】
【０００７】
【図１】本考案に係る低い座面のベンチを収納した状態の平面図である。
【図２】本考案に係る低い座面のベンチを収納した状態の正面図である。
【図３】本考案に係る低い座面のベンチを左右とも引き出した状態の平面図である。
【図４】本考案に係る低い座面のベンチを左右とも引き出した状態の正面図である。
【図５】本考案に係る側面図である。
【図６】本考案に係る低い座面のベンチを収納した状態の斜視図である。
【図７】本考案に係る低い座面のベンチを左右とも引き出した状態の斜視図である。
【符号の説明】
【０００８】
1       
通常のベンチの本体
2       
通常のベンチの座面
3       
ガイドレール用パイプ
4       
収納及び引き出しするベンチの本体
5       
収納及び引き出しするベンチの座面
【図１】
0003154995.tif 000003
【図２】
0003154995.tif 000004
【手続補正書】
【提出日】平成21年7月1日(2009.7.1)
【手続補正１】
【補正対象書類名】実用新案登録請求の範囲
【補正対象項目名】全文
【補正方法】変更
【補正の内容】
【実用新案登録請求の範囲】
【請求項１】
通常の高さの座面のベンチの本体１を積層合板にして、その中に座面の高さを幼児や高齢者向けに低くした同じ仕様のベンチを収納でき、ベンチ本体１にベンチ本体４の立面を貫通してガイドレール用パイプ３を設け、収納時と引き出し時のストッパーを兼ねる構造にして、必要に応じて引き出して使用できるベンチ
【手続補正２】
【補正対象書類名】明細書
【補正対象項目名】０００６
【補正方法】変更
【補正の内容】
【０００６】
本考案に係るベンチは、図６、図７に示すように通常の高さの２〜３人が利用のベンチとその中に収納できるベンチとで構成されている。通常は図６のように収納されて状態であるが左右から引き出すと４〜５人が利用できるベンチになる。ベンチ本体１にベンチ本体４の立面を貫通してガードレール用パイプ３を設け、収納時と引き出し時ストッパーを兼ねる構造にして使用できるようにした。
【手続補正３】
【補正対象書類名】図面
【補正対象項目名】全図
【補正方法】変更
【補正の内容】
【図１】
0003154995.tif 000005
【図２】
0003154995.tif 000006
【手続補正書】
【提出日】平成21年8月24日(2009.8.24)
【手続補正１】
【補正対象書類名】図面
【補正対象項目名】全図
【補正方法】変更
【補正の内容】
【図１】
0003154995.tif 000007
【図２】
0003154995.tif 000008
【図３】
0003154995.tif 000009
【図４】
0003154995.tif 000010
【図５】
0003154995.tif 000011
【図６】
0003154995.tif 000012
【図７】
0003154995.tif 000013
(57)【要約】      （修正有）【課題】広告媒体としての高い宣伝効果を有するフラッグを提供する。【解決の手段】フラッグの１側縁の基から向かって直線的に延びる直線挿入部とその先端部より、横方向にウェーブ状に延びる曲線挿入部をバイアステープ加工による袋形状とし、そこにウエーブ状フラッグ支持棒を挿入することによりフラッグ形状を保持し、フラッグ支持棒先端と、前記フラッグ基部を結ぶ曲線形状を特徴とする。【選択図】図１
0003154992.tif 000002
【実用新案登録請求の範囲】
【請求項１】
フラッグの１側縁の基から向かって直線的に延びる直線挿入部とその先端部より、横方向にウェーブ状に延びる曲線挿入部をバイアステープ加工による袋形状とし、そこにウエーブ状フラッグ支持棒を挿入することによりフラッグ形状を保持し、フラッグ支持棒先端と、前記フラッグ基部を結ぶ曲線形状を特徴とするフラッグである。
【請求項２】
前記ウエーブ状フラッグ支持棒には、フラッグの自重を保持する為、ウエーブ状棒部分下部に補強リブ構造を設け且つ、フラッグ取付竿の先端に装着するキャップと一体構造とするフラッグ支持棒。
【考案の詳細な説明】
【技術分野】
【０００１】この考案は、フラッグの形状及び、形状を構成するフラッグ支持棒に関する。
【背景技術】
【０００２】従来この手のフラッグは、各種イベントの広告、店舗の営業案内、商品に関する宣伝など、広告媒体として広く利用されている。通常三角形の形状を持つフラッグが一般的である。【０００３】フラッグは、図２に示す様に従来の三角フラッグ等では、フラッグ取り付け竿が、約４５°に取り付けられている為、竿先端より横方向にフラッグ形状を製作しようとした場合支持棒がないと垂れ下がり、形状を維持できない。
【考案の概要】
【考案が解決しようとする課題】
【０００４】本来フラッグ部分に、ウエーブ状（曲線）の袋加工を施す場合、通常フラッグを構成する布生地を袋縫製加工するのは不可能で共生地（当て布）等で処理していた、更にフラッグ形状を、ウエーブ状に横方向に伸ばした時の形状保持とフラッグの自重を保持する事が課題。
【課題を解決する為の手段】
【０００５】前記ウエーブ状袋加工を、バイアステープ縫製加工（本来は、布端の化粧処理に使用）とする事により袋として使用し、そこにウエーブ状フラッグ支持棒を挿入しフラッグ形状を形成保持する事が可能となり、請求項２のフラッグ支持棒は、フラッグ取付竿に装着する為のキャップ形状を持ち、ウエーブ状支持棒はバイアス袋加工の中に挿入される、フラッグ支持棒はフラッグの自重を支える強度を求められが、フラッグ支持棒のウエーブ状棒部下部に、補強リブを形成し取付用先端キャップと一体構造とした。
【考案の効果】
【０００６】本考案により、既存では無い形状のフラッグを作る事が可能となり、広告媒体としての宣伝効果が上がる。
【図面の簡単な説明】
【０００７】
【図１】フラッグ全体形状図
【図２】三角旗全体形状図
【図３】フラッグ支持棒側面図
【図４】取付用先端キャップ部及びフラッグ支持棒下部リブ加工形状図
【実施例】
【０００８】以下図１．図２．図３．図４に示す実施例に従って本考案の実施態様について説明する
請求項１に係る考案のフラッグ２は、昇華転写技術により制作されたポリエステル製のフラッグで、最近の広告宣伝用のフラッグは、大方この製法が用いられており本考案のフラッグは、フラッグ基部２ｂから上部へ直線的に延びる袋形状２ａを持ち、フラッグ上部先端２ｃから横方向に延びる曲線形状とそのフラッグ上部曲線の終点部２ｄとフラッグ基部２ｂを結ぶ曲線形状を特徴とするフラッグであり、本考案は、フラッグ基部２ｂから直線上に延びるフラッグ袋加工部２ａにフラッグ取付竿３を挿入し、そのフラッグ取付竿３の先端に取付け用先端キャップ１ａを有する請求項２のウエーブ状フラッグ支持棒１ｂを差し込む、この際、フラッグ支持棒１ｂを、フラッグ本体２上部に施されたバイアステープ袋加工部４に事前に挿入しておく、ここで問題となるのは、フラッグ本体２の自重を支えるフラッグ支持棒１ｂの強度である、請求項２に係る考案のフラッグ支持棒１ｂは、金型成型により製造された均一のウエーブ形状を特徴とし強度確保の為、図４に示すウエーブ状フラッグ支持棒の下部に補強リブ１ｄを設け、取付用先端キャップを一体構造とした事により強度及びフラッグ本体の形状保持力を確保している、先端キャップ部の内径は、図２に示す既存の三角旗５の取付け竿３と同じ太さ規格に合わせ、既存旗との付け替え等の簡易可を計った。
【符号の説明】
【０００９】１ａ    取付用先端キャップ
１ｂ    ウエーブ状フラッグ支持棒
１ｃ    フラッグ支持棒先端
１ｄ    フラッグ支持棒下部リブ補強部
２      フラッグ本体
２ａ    フラッグ袋加工部
２ｂ    フラッグ基部
２ｃ    フラッグ上部先端部
２ｄ    フラッグ上部曲線の終点部
３）    フラッグ取付竿
４      バイアステープ袋加工部
５      既存三角旗
【図１】
0003154992.tif 000003
【図２】
0003154992.tif 000004
【図３】
0003154992.tif 000005
【図４】
0003154992.tif 000006
【手続補正書】
【提出日】平成21年4月20日(2009.4.20)
【手続補正１】
【補正対象書類名】実用新案登録請求の範囲
【補正対象項目名】全文
【補正方法】変更
【補正の内容】
【実用新案登録請求の範囲】
【請求項１】
フラッグの１側縁の基から向かって直線的に延びる直線挿入部とその先端部より、横方向にウェーブ状に延びる曲線挿入部をバイアステープ加工による袋形状とし、そこにウエーブ状フラッグ支持棒を挿入することによりフラッグ形状を保持し、フラッグ支持棒先端と、前記フラッグ基部を結ぶ曲線形状を特徴とするフラッグ。
【請求項２】
フラッグの自重を保持する為、ウエーブ状棒部分下部に補強リブ構造を設け且つ、フラッグ取付竿の先端に装着するキャップと一体構造とする請求項１記載のフラッグ支持棒。
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
フラッグの１側縁の基から向かって直線的に延びる直線挿入部とその先端部より、横方向にウェーブ状に延びる曲線挿入部をバイアステープ加工による袋形状とし、そこにウエーブ状フラッグ支持棒を挿入することによりフラッグ形状を保持し、フラッグ支持棒先端と、前記フラッグ基部を結ぶ曲線形状を特徴とするフラッグ。
【請求項２】
前期ウエーブ状フラッグ支持棒は、フラッグの自重を保持する為ウエーブ状棒部分下部に補強リブ構造を設け且つ、フラッグ取付竿の先端に装着するキャップと一体構造とする請求項１記載のフラッグ。
(57)【要約】      （修正有）【課題】切断時に切断した物体が、包丁面に粘着しない包丁を提供する。【解決手段】切断に用いる包丁面１と握るのに用いる柄１’の部分が一体に結合された形式で製造される。このうち、包丁面１には、数段の小さな間隔で複数の細かい溝を有する凹溝１１が施されて、その細い凹溝１１の上、下両端が包丁の背と刃先まで伸びている。前記包丁が切断時、その包丁面に施された数段の小さな間隔で複数の細かい溝を有する凹溝１１が施されていることにより、包丁面の外の気流が流通することで、切断された物体が包丁の包丁面１に付着して張り付くという状況を回避して、スムーズに切断動作が行える実用的効果を有する。【選択図】図３
0003154901.tif 000002
【実用新案登録請求の範囲】
【請求項１】
切断に用いる包丁面と握るのに用いる柄の部分が一体結合で構成され、包丁面には、数段の小さな間隔で複数の細かい溝を有する凹溝が施され、その細い凹溝の上、下両端が包丁の背と刃先まで伸びており、前記包丁が切断時、その包丁面に施された数段の小さな間隔で複数の細かい溝を有する凹溝が施されていることにより、包丁面の外の気流が流通することで、切断された物体が包丁の包丁面に付着して張り付くという状況を回避して、スムーズに切断動作が行える実用的効果を有することを特徴とする包丁の構造。
【考案の詳細な説明】
【技術分野】
【０００１】
本考案は包丁の構造に関し、特に、包丁面と包丁の柄部分が一体となっており、このうち、包丁面に数段の小さな間隔で複数の細かい溝を有する凹溝が施されて、その細い凹溝の上、下両端が包丁の背と刃先まで伸びていることにより、前記包丁が切断時に切断された物体が包丁の包丁面に付着して張り付くという状況を回避して、スムーズに切断動作が行える実用的効果を有する包丁に関する。
【背景技術】
【０００２】
一般に見られる包丁Ａは、その包丁面Ａ１が平面で平らなものがほとんどである（図１を参照）。しかしながら、実際に使用した場合、使いにくい状況が多々発生する。例えば、肉片Ｂ１等の物体Ｂを切断する場合、仮に冷凍してあるときには肉全体が「硬い」ため、切断した肉片Ｂ１は包丁面Ａ１に粘着することはないが、肉片Ｂ１が冷蔵の場合、肉に弾力性があるため、切断の際に包丁面Ａ１（図２を参照）に粘着する。このような場合、切断するのに不便を来たし、作業を中断して、包丁面に粘着した肉辺Ｂ１を取り除いてから作業を続ける必要があるため、作業に不便であると同時に時間の無駄が生じる。
【考案の概要】
【考案が解決しようとする課題】
【０００３】
したがって、本考案は、切断時に切断した物体が包丁面に粘着しない包丁を提供する    ことを課題とする。
【課題を解決するための手段】
【０００４】
上記課題を解決するために、本考案は、切断時に切断した物体が包丁面に粘着しない包丁を提供することを目的とする。
【０００５】
上記目的を達成するために、本考案の包丁の構造は、切断に用いる包丁面と握るのに用いる柄の部分が一体に結合された形式で製造される。このうち、包丁面には、数段の小さな間隔で複数の細かい溝を有する凹溝が施され、その細い凹溝の上、下両端が包丁の背と刃先まで伸びている。前記包丁が切断時、その包丁面に施された数段の小さな間隔で複数の細かい溝を有する凹溝が施されていることにより、包丁面の外の気流が流通することで、切断された物体が包丁の包丁面に付着して張り付くという状況を回避して、スムーズに切断動作が行える実用的効果を有する。
【考案の効果】
【０００６】
本考案の包丁面には、数段の小さな間隔で複数の細かい溝を有する凹溝が施されて、その細い凹溝の上、下両端が包丁の背と刃先まで伸びていることにより、包丁面の外の気流が流通して、切断された物体が包丁の包丁面に付着して張り付くという状況を回避し、スムーズに切断動作が行える実用的効果を有する。
【考案を実施するための形態】
【実施例】
【０００７】
まず、図３、図４、図５、図６を参照しながら、本考案の包丁の構造について説明する。本考案の包丁の構造は、切断に用いられる包丁面1と握るのに用いられる柄の部分1’から構成される。このうち、包丁面1には、数段の小さな間隔で複数の細かい溝を有する凹溝１１が施されている。その細い凹溝１１の上、下両端は包丁の背１２と刃先１３まで伸びている。包丁が切断時（図７、図８に示したとおり）、その包丁面１に施された数段の小さな間隔で複数の細かい溝を有する凹溝１１の上、下両端が包丁の背１２と刃先１３まで伸びていることにより、包丁面１の外の気流が流通することで、切断された物体Ｂ（例えば、肉片や柔らかく弾力性のある物体）が包丁の包丁面１に付着して張り付くという状況を回避して、スムーズに切断動作が行える実用的効果を有する。
【図面の簡単な説明】
【０００８】
【図１】従来の包丁を示した図である。
【図２】従来の包丁の操作を示した図である。
【図３】本考案の立体図である。
【図４】本考案の部分拡大図である。
【図５】本考案の包丁を示した図（一）である。
【図６】本考案の包丁を示した図（二）である。
【図７】本考案の実施例図（一）である。
【図８】本考案の実施例図（二）である。
【符号の説明】
【０００９】
１      包丁面
１１    細い凹溝
１２    包丁の背
１３    包丁の刃先
１’    包丁の柄
Ａ      包丁
Ａ１    包丁面
Ｂ      物体
Ｂ１    肉片
【図１】
0003154901.tif 000003
【図２】
0003154901.tif 000004
【図３】
0003154901.tif 000005
【図４】
0003154901.tif 000006
【図５】
0003154901.tif 000007
【図６】
0003154901.tif 000008
【図７】
0003154901.tif 000009
【図８】
0003154901.tif 000010
(57)【要約】【課題】本考案は、水道管や給湯管などの配管並びに空調用の熱媒給送管等の配管を外装被覆する断熱カバーに打撃により打ち込まれた脚部の抜けを防止するステープルを提供する。【解決手段】本考案のステープル１は、一本の鋼線を門形にフォーミング形成し、水平方向の水平部２と、該水平部２の両端から一体に垂下した左右の脚部３，３とから成る。前記水平部２と前記左右の脚部３，３との連結部の直下に前記左右の脚部３，３の軸方向に直交する方向に切欠き４，４を設ける。さらに、前記左右の脚部３，３の先端部を斜めに切断して傾斜面５，５とする。【選択図】図１
0003154914.tif 000002
【実用新案登録請求の範囲】
【請求項１】
一本の鋼線を門形にフォーミング形成したステープルであって、左右の脚部の上部を連結する水平部と、該水平部の両端から一体に垂下した左右の脚部と、前記水平部と前記左右の脚部との連結部の直下に前記左右の脚部の軸方向に直交する方向に設けた切欠きと、前記左右の脚部の先端部外側面を斜めに切断して傾斜面としたことを特徴とするステープル。
【請求項２】
前記切欠きは、少なくとも水道管や給湯管などの配管並びに空調用の熱媒給送管等の配管を外装被覆する断熱カバーのアルミガラスクロス化粧原紙などの厚さ以上であることを特徴とする請求項１記載のステープル。
【考案の詳細な説明】
【技術分野】
【０００１】
本考案は、水道管や給湯管などの配管並びに空調用の熱媒給送管等の配管を外装被覆する断熱カバーに、打撃により打ち込まれるステープルに関する。
【背景技術】
【０００２】
ステープル打ち機によって板金に打ち込むと、板金を貫通した脚部が自動的に内側或いは外側に折れ曲がって板金を締結するステープルが知られている（特許文献１を参照）。
この公知技術は、一本の鋼線を門形にフォーミング形成したステープルであって、左右の脚部の上部を連結する水平トップ部の中央を下方へ折り曲げてＭ形とし、左右の脚部を上下中間で内側へ斜行させて間隔を縮小し、上部に対して下部が内側へ水平にシフトした形状に成形し、左右の脚部の先端部外側面を斜めに切断して傾斜面とした板金用ステープルである。
【０００３】
また、ラス網等を止着するステープルであって、その両脚部を木材内で湾曲することができ、その際に頂部両端に坐屈が生じないステープルおよびステープル打込装置が知られている（特許文献２を参照）。
この公知技術は、水平な頂部の両端に直角に折り曲げられた一対の脚部を有するコ字状のステープルにおいて、前記一対の脚部の先端部に、互いに対称形に湾曲形成された湾曲部を有し、前記一対の湾曲部の先端が、その脚部の後端部の外側面および内側面の各延長線上の間以内に位置するステープルである。
【０００４】
さらに、熟練を必要としない直角な打込みであっても化粧パネルの表面には出てこない連結力の強いステープルが知られている（特許文献３を参照）。
この公知技術は、各脚の先端部分が最先端に向けて平坦な斜面によって先細になるようにテーパして形成され、この平坦な斜面によって形成された最先端は各脚の厚さの中心線からずれて位置しており、先端部分以外の脚部分には曲げを誘導する切込みが軸方向に一定の間隔をおいて設けられているステープルである。
【先行技術文献】
【特許文献】
【０００５】
【特許文献１】特開平１１−８２４４４号公報
【特許文献２】特開２００７−６４４２０号公報
【特許文献３】実開平５−６２１３号公報
【考案の概要】
【考案が解決しようとする課題】
【０００６】
本考案は、水道管や給湯管などの配管並びに空調用の熱媒給送管等の配管を外装被覆する断熱カバーに打撃により打ち込まれた脚部の抜けを防止するステープルを提供することを目的とする。
【課題を解決するための手段】
【０００７】
本考案のステープルは、一本の鋼線を門形にフォーミング形成したステープルであって、左右の脚部の上部を連結する水平部と、該水平部の両端から一体に垂下した左右の脚部と、前記水平部と前記左右の脚部との連結部の直下に前記左右の脚部の軸方向に直交する方向に設けた切欠きと、前記左右の脚部の先端部外側面を斜めに切断して傾斜面としたものである。
前記切欠きは、少なくとも水道管や給湯管などの配管並びに空調用の熱媒給送管等の配管を外装被覆する断熱カバーのアルミガラスクロス化粧原紙などの厚さ以上である。
【考案の効果】
【０００８】
本考案は、ステープルの水平部と左右の脚部との連結部の直下に前記左右の脚部の軸方向に直交する方向に切欠きを設けたため、水道管や給湯管などの配管並びに空調用の熱媒給送管等の配管を外装被覆する断熱カバーに打撃により打ち込まれたステープルの左右の脚部の抜けを防止することができる。
【図面の簡単な説明】
【０００９】
【図１】本考案のステープルの正面図である。
【図２】本考案のステープルの連結体を示す斜視図である。
【図３】本考案のステープルを断熱カバーにステープラーで打込む動作を示す断面図である。
【図４】本考案のステープルを断熱カバーに打込んだ状態を示す断面図である。
【考案を実施するための形態】
【００１０】
本考案のステープルの一実施例を添付図面に基づいて、以下に説明する。
図１の正面図に示すように、本考案のステープル１は、一本の鋼線を門形にフォーミング形成し、水平方向の水平部２と、該水平部２の両端から一体に垂下した左右の脚部３，３とから成る。
前記水平部２と前記左右の脚部３，３との連結部の直下に前記左右の脚部３，３の軸方向に直交する方向に切欠き４，４を設ける。
さらに、前記左右の脚部３，３の先端部を斜めに切断して傾斜面５，５とする。
【００１１】
図２に示すように、本考案のステープル１は、従来のステープルと同様に多数のステープルを接着して連結した形態で提供され、手動のステープル打ち機のステープルマガジンに装填して使用される。
【００１２】
次に、本考案のステープルの操作動作を添付図面に基づいて、以下に説明する。
図２に示す多数の連結されたステープル１を手動のステープル打ち機６のステープルマガジンに装填し、図３に示すように、水道管や給湯管などの配管７を外装被覆する断熱材８とアルミガラスクロス化粧原紙９などの接合部を前記ステープル打ち機６によりステープル１を打込む。
打込まれたステープル１は、図４の断面図に示すように、脚部３の先端部を斜めに切断して傾斜面５，５を形成しているので、脚部３，３が外側へ広がりながら断熱材８に食い込む。
ステープル１が完全に打込まれると、図４の切欠き４，４がアルミガラスクロス化粧原紙９，９と嵌合状態となるので、例えばステープル１を外すため水平部２を持ち上げる場合でも、前記切欠き４，４がアルミガラスクロス化粧原紙９，９と嵌合状態となっているので、簡単には抜くことができない。
したがって、切欠き４，４がアルミガラスクロス化粧原紙９，９と嵌合状態となるので、断熱材８とアルミガラスクロス化粧原紙９の接合部でのステープル１の抜けを防止することができる。
【符号の説明】
【００１３】
１  ステープル
２  水平部
３  脚部
４  切欠き
５  傾斜面
６  ステープル打ち機
７  配管
８  断熱材
９  アルミガラスクロス化粧原紙
【図１】
0003154914.tif 000003
【図２】
0003154914.tif 000004
【図３】
0003154914.tif 000005
【図４】
0003154914.tif 000006
(57)【要約】      （修正有）【課題】複数の方形開口を具える薬箱を提供する。【解決手段】複数の方形開口を具える薬箱は、箱、可動蓋及び密封蓋を含む。箱は複数の方形開口を具え、周りに複数の蓋の孔を設置した多辺形であり、設定に応じて可動蓋又は密封蓋を置くことができる。その他、箱の両側に設置した連結ピン及び連結ピンの孔によって、必要な使用ニーズの数量に応じて、その他の箱と結合することができる。この構成により、使用する時、特定の時間に同じ側の開口面を選択して服用する薬を選ぶことができる。もし、選定した開口面が開くことができる可動蓋であれば服用できる薬であり、反対に、もし、前記開口面が密封蓋であれば服用しない薬である。このようにして、服用の間違いによる煩わしさを解決し、服用する際の利便性を高めることができる。【選択図】図１
0003154939.tif 000002
【実用新案登録請求の範囲】
【請求項１】
複数の方形開口を具える薬箱であって、箱、可動蓋、密封蓋、及び連結ピンと連結ピンの孔を含み、
前記箱は、複数の方形開口を具え、複数の蓋の孔が設置され、
前記可動蓋は、前記蓋の孔から前記箱に挿入結合し、上方の可動箇所には突起ブロックを具え、前記密封蓋は、前記蓋の孔から前記箱に挿入結合し、上方の不可動箇所には突起ブロックを具え、前記連結ピンと連結ピンの孔は、それぞれ、前記箱の対応する両側に設置し、その他の箱と結合することができることを特徴とする、複数の方形開口を具える薬箱。
【請求項２】
請求項１に記載の複数の方形開口を具える薬箱であって、その内、前記箱は多辺形であることを特徴とする、複数の方形開口を具える薬箱。
【請求項３】
請求項１に記載の複数の方形開口を具える薬箱であって、その内、前記箱は、服用説明を貼るための表面スペースを具えることを特徴とする、複数の方形開口を具える薬箱。
【請求項４】
請求項１に記載の複数の方形開口を具える薬箱であって、その内、密封蓋は透明の蓋であることを特徴とする、複数の方形開口を具える薬箱。
【請求項５】
請求項１に記載の複数の方形開口を具える薬箱であって、その内、可動蓋は透明の蓋であることを特徴とする、複数の方形開口を具える薬箱。
【考案の詳細な説明】
【技術分野】
【０００１】
本考案は複数の方形開口を具える薬箱に関し、特に服用の間違いによる煩わしさを解決し服用の際の利便性を高めることができる複数の方形開口を具える薬箱に関する。
【背景技術】
【０００２】
現在の薬箱は、薬品を収納する機能を提供するだけで、多くの種類の薬品の供給に対して、どうすれば服用の間違いの確率を下げ、使用時の利便性を高めることができるのかという問題に関しては、今だ有効な理想的解決方法が見つかっていない。
【考案の概要】
【考案が解決しようとする課題】
【０００３】
本考案の目的は、複数の方形開口を具える薬箱を提供することにある。
【課題を解決するための手段】
【０００４】
上述の問題を解決するために、本考案が提供する複数の方形開口を具える薬箱は、箱、可動蓋、密封蓋、連結ピン、連結ピンの孔を含む。箱の周りには蓋の孔を設置し、設定に応じて可動蓋又は密封蓋を置くことができ、箱の側方の連結ピン及び連結ピンの孔によって、ニーズに応じて複数の箱を結合することができる。使用する時、特定の時間に同じ側の開口面を選択して服用する薬を選ぶことができる。もし、選定した開口面が開くことができる可動蓋であれば服用できる薬であり、もし、前記開口面が密封蓋であれば服用しない薬である。このようにして、服用の間違いによる煩わしさを解決し、服用する際の利便性を高めることができる。
【図面の簡単な説明】
【０００５】
【図１】本考案の立体図である。
【図２】本考案の使用状態図である。
【考案を実施するための形態】
【実施例】
【０００６】
図１及び図２に示すように、本考案の複数の方形開口を具える薬箱は、箱１、可動蓋２及び密封蓋３を含む。箱１は、複数の方形開口を具え、周りに蓋の孔６を設置した多辺形であり、設定に応じて可動蓋２又は密封蓋３を置くことができる。その内、前述した可動蓋２は、蓋の孔６から箱１に挿入結合することができ、上方の可動箇所には突起ブロックを具える。その他、前述した密封蓋３は、蓋の孔６から箱１に挿入結合することができ、上方の不可動箇所には突起ブロックを具える。
【０００７】
図に示すように、箱１の一側には連結ピン４を設置し、連結ピン４が対応する側上には、連結ピンの孔５を設置する。箱１の側方の連結ピン４及び連結ピンの孔５から、使用ニーズに応じて複数の箱１（図２に図示）を結合することができる。
【０００８】
本考案の薬箱は、使用する時、特定の時間に同じ側の開口面を選択して服用する薬を選ぶことができる。もし、選定した開口面が開くことができる可動蓋２であれば服用できる薬であり、反対に、もし、前記開口面が密封蓋３であれば服用しない薬である。このようにして、服用の間違いによる煩わしさを解決し、更に、服用する際の利便性を高めることができ、新規性と進歩性を極めて具える薬箱構造となっている。
【０００９】
実施する際に、箱１は、表面スペースを利用することにより、服用説明シールを貼ることができる。その他、箱１内に保存した薬物７を観察しやすいように、密封蓋と可動蓋は、透明の材料で作られた透明蓋を採用することができる。
【００１０】
本考案が提出する複数の方形開口を具える薬箱は、従来の技術と比較すると、従来の技術がもっていない機能を具えており、更に、業界技術の限られた領域の中で、相当大きな進歩をとげたことになる。
【００１１】
上記内容は本考案で行うことができる実施例に過ぎず、本考案の実施の範囲を限定するものではないため、本考案の登録請求の範囲に基づいた等価変更若しくは補正は、全て本考案の登録請求の範囲内に含まれるものとする。
【符号の説明】
【００１２】
１      箱
２      可動蓋
３      密封蓋
４      連結ピン
５      連結ピンの孔
６      蓋の孔
【図１】
0003154939.tif 000003
【図２】
0003154939.tif 000004